(57)【要約】【課題】設置場所の制限の少ない給湯システムを提供すること。【解決手段】複数の熱交換器２１Ａ，２１Ｂを有する熱源機１１と、風呂熱交換器２１Ｂと浴槽Ｐ２との間で風呂水を循環させる追焚循環管路１４と、給湯熱交換器２１Ａで加熱された温水を追焚循環管路１４へ導くための給湯管路１３と、熱交換器２１Ａ，２１Ｂで発生したドレンを回収し中和するドレン中和器１６０と、ドレン中和器１６０内のドレン中和水を追焚循環管路１４へ導くためのドレン管路１６と、追焚循環管路１４に送り込まれたドレン中和水を装置外部へ排出させるための排水管路１７と、排水管路１７に接続され且つ浴室の床下に敷設され、追焚循環管路１４に送り込まれた温水を排水管路１７から導入し装置外部へ排出させる床暖房配管１７０とを備え、ドレン中和水を排水管路１７から装置外部へ排出させた後、温水を排水管路１７から床暖房配管１７０を通じて装置外部へ排出させる。【選択図】図１
2014206342.tif 000002
【特許請求の範囲】
【請求項１】
複数の熱交換器を有する熱源機と、
前記熱交換器のうちの風呂熱交換器と浴槽との間で風呂水を循環させる追焚循環管路と、
前記熱交換器のうちの給湯熱交換器で加熱生成された温水を追焚循環管路へ導くための給湯管路と、
前記熱交換器で発生したドレンを回収し中和するドレン中和器と、
ドレン中和器内のドレン中和水を追焚循環管路へ導くためのドレン管路と、
追焚循環管路に送り込まれたドレン中和水を装置外部へ排出させるための排水管路と、
排水管路に接続され且つ浴室の床下に敷設され、追焚循環管路に送り込まれた前記温水を排水管路から導入すると共に装置外部へ排出させる床暖房配管とを備え、
前記ドレン中和水を追焚循環管路から排水管路を通じて装置外部へ排出させた後、前記温水を追焚循環管路から排水管路を通じて床暖房配管に導入し、装置外部へ排出させる制御構成とした、給湯システム。
【請求項２】
請求項１に記載の給湯システムにおいて、
排水管路と床暖房配管との接続部に設けられ、追焚循環管路から排水管路に導入された流体を、床暖房オン時には床暖房配管を介して装置外部へ排出させ、床暖房オフ時には床暖房配管を介さないで直接的に装置外部へ排出させる暖房切替弁を備えた、給湯システム。
【発明の詳細な説明】
【技術分野】
【０００１】
本発明は、熱源機で加熱された温水を浴槽や浴室の床暖房配管へ供給可能な給湯システムに関する。
【背景技術】
【０００２】
従来の給湯システムにおいて、風呂水の追焚循環管路とは別の独立した暖房循環管路を備え、暖房循環管路の熱交換部で加熱した温水を浴室の床下に敷設された床暖房配管へ循環供給させるように構成されたものが提案されている（例えば、特許文献１参照）。
【先行技術文献】
【特許文献】
【０００３】
【特許文献１】特開２００６−９０６４３号公報
【発明の概要】
【発明が解決しようとする課題】
【０００４】
しかしながら、上記従来の給湯システムでは、追焚循環管路とは別に浴室の床暖房専用の循環管路や熱交換部を備えているため、システム全体の構成が複雑で且つ大型になり、製造コストの問題や設置場所が制限される問題があった。また、浴室の床は、入浴する時点で暖かければ足りるため、比較的簡易な構成の床暖房機能を備えた給湯システムが望まれていた。
【０００５】
本発明は、上述の事情に鑑みてなされたものであり、その目的は、浴室床暖房専用の特別な装置を必要とせず、設置場所の制限の少ない給湯システムを提供することにある。
【課題を解決するための手段】
【０００６】
本発明は、複数の熱交換器を有する熱源機と、前記熱交換器のうちの風呂熱交換器と浴槽との間で風呂水を循環させる追焚循環管路と、前記熱交換器のうちの給湯熱交換器で加熱生成された温水を追焚循環管路へ導くための給湯管路と、前記熱交換器で発生したドレンを回収し中和するドレン中和器と、ドレン中和器内のドレン中和水を追焚循環管路へ導くためのドレン管路と、追焚循環管路に送り込まれたドレン中和水を装置外部へ排出させるための排水管路と、排水管路に接続され且つ浴室の床下に敷設され、追焚循環管路に送り込まれた前記温水を排水管路から導入すると共に装置外部へ排出させる床暖房配管とを備え、前記ドレン中和水を追焚循環管路から排水管路を通じて装置外部へ排出させた後、前記温水を追焚循環管路から排水管路を通じて床暖房配管に導入し、装置外部へ排出させる制御構成としたものである。
【０００７】
上記給湯システムによれば、ドレン中和器内に溜まったドレン中和水を、追焚循環管路から排水管路を通じて装置外部へ排出させた後、給湯熱交換器で加熱生成された温水を、追焚循環管路から排水管路を通じて床暖房配管に送り込み、装置外部へ排出させる配管の温水洗浄が行われるが、この温水洗浄時に床暖房配管へ導入される温水によって浴室の床を暖めることができる。従って、追焚循環管路とは別に浴室の床暖房専用の循環管路や熱交換部など特別な装置を組み込む必要がない。よって、システム全体の構成を簡素化することが可能である。また、このものでは、たとえ追焚循環管路に残留した浴槽内のごみや汚れが排水管路を介して床暖房配管に混入したとしても、ドレン中和水を排出させる度に、上記温水によって速やかに床暖房配管が洗浄されるから、床暖房配管に異物が残留し難い。
【０００８】
上記給湯システムにおいて、排水管路と床暖房配管との接続部に設けられ、追焚循環管路から排水管路に導入された流体を、床暖房オン時には床暖房配管を介して装置外部へ排出させ、床暖房オフ時には床暖房配管を介さないで直接的に装置外部へ排出させる暖房切替弁を備えたものであるのが望ましい。
【０００９】
ドレン中和水には、熱源機中のごみや埃等の異物が混入する虞があるが、このものでは、床暖房オフ時には、床暖房配管を介さず直接的にドレン中和水が装置外部へ排出されるから、床暖房配管に異物が流入し難い。また、床暖房オン時には、上記温水によって適宜、床暖房配管を洗浄することも可能であるから、床暖房配管に異物がより残留し難い。
【発明の効果】
【００１０】
以上のように、本発明の給湯システムによれば、浴室床暖房専用の特別な装置を必要とせず、システム全体の構成を簡素化することが可能であるから、設置場所の制限の少ない給湯システムを提供できる。また、床暖房配管に異物が残留し難いから、床暖房配管の目詰まりも効果的に防止できる。
【図面の簡単な説明】
【００１１】
【図１】本発明の実施の形態に係る給湯システムの概略構成図である。
【図２】本発明の実施の形態に係る給湯システムのドレン排水動作および配管洗浄動作を示す作動フローチャートである。
【図３】本発明の他の実施形態に係る給湯システムの概略構成図である。
【発明を実施するための形態】
【００１２】
次に、上記した本発明を実施するための形態について、添付図面を参照しながら詳述する。
図１に示すように、本発明の実施の形態に係る給湯システム１は、上水道から供給される水を所定温度に加熱して温水を生成し、カランなどの湯出口Ｐ１や浴槽Ｐ２へ供給する給湯機能部と、浴槽Ｐ２の風呂水を所定温度に加熱しつつ循環させる追焚機能部とを有しており、給湯熱交換器２１Ａおよび風呂熱交換器２１Ｂを有する熱源機１１と、水供給源から供給される水を給湯熱交換器２１Ａへ導く給水管路１２と、給湯熱交換器２１Ａで加熱生成された温水を湯出口Ｐ１へ導く給湯管路１３と、浴槽Ｐ２と風呂熱交換器２１Ｂとの間で風呂水を循環させる追焚循環管路１４と、給湯システム１全体の動作を制御する制御回路１Ｃとを備えている。また、制御回路１Ｃには、給湯システム１の動作を指示するための操作端末１００が電気配線または無線にて接続されている。
【００１３】
熱源機１１の筐体１０内には、給水管路１２から送り込まれる水を燃焼排ガスとの熱交換により加熱する給湯熱交換器２１Ａと、追焚循環管路１４から送り込まれる風呂水を燃焼排ガスとの熱交換により加熱する風呂熱交換器２１Ｂと、ガス配管からガス管路１５を通じて供給される燃料ガスを燃焼用空気と混合して燃焼させ、燃焼排ガスを生成するバーナ２２とが組み込まれている。また、筐体１０の下部には、筐体１０内へバーナ２２の燃焼用空気を送り込む燃焼ファン２３が設けられている。
【００１４】
給湯熱交換器２１Ａは、燃焼排ガス中の顕熱を回収する主熱交換部２１１と、さらに燃焼排ガス中の潜熱を回収する副熱交換部２１２とを備えている。これら主熱交換部２１１および副熱交換部２１２相互は、直列的に接続されており、さらに副熱交換部２１２の上流端に給水管路１２が接続され、主熱交換部２１１の下流端に給湯管路１３が接続されている。従って、給水管路１２から給湯熱交換器２１Ａに供給される水は、副熱交換部２１２を通った後、主熱交換部２１１に送り込まれ、給湯管路１３へ排出される。
【００１５】
風呂熱交換器２１Ｂも給湯熱交換器２１Ａと同様、主熱交換部２１３と副熱交換部２１４とを備えている。これら主熱交換部２１３および副熱交換部２１４相互は、直列的に接続されており、さらに副熱交換部２１４の上流端に追焚循環管路１４の風呂戻り管路１４１が接続され、主熱交換部２１３の下流端に追焚循環管路１４の風呂往き管路１４２が接続されている。従って、風呂戻り管路１４１から風呂熱交換器２１Ｂに供給される風呂水は、副熱交換部２１４を通った後、主熱交換部２１３に送り込まれ、風呂往き管路１４２へ排出される。
【００１６】
筐体１０の内部には、潜熱を回収する際に副熱交換部２１２，２１４の表面で発生したドレンを受けるドレン受け２４が設けられている。また、ドレン受け２４の底部には、上記ドレンを湯張り管路１３０へ導くためのドレン管路１６が接続されている。ドレン管路１６の中間部には、上記ドレンを中和させるドレン中和器１６０が設けられており、ドレン受け２４で受けられた強酸性のドレンは、一旦ドレン中和器１６０に回収される。そして、ドレン中和器１６０に装填されたドレン中和剤によって中和された後、ドレン管路１６を通じて湯張り管路１３０へ排出される。
【００１７】
バーナ２２は、給湯熱交換器２１Ａを加熱するための給湯側燃焼部２２Ａと、風呂熱交換器２１Ｂを加熱するための風呂側燃焼部２２Ｂとを備えており、給湯側燃焼部２２Ａから放出された燃焼排ガスは、給湯熱交換器２１Ａの主熱交換部２１１の配設部を通って副熱交換部２１２の配設部へ導かれ、筐体１０の外部へ排出される。一方、風呂側燃焼部２２Ｂから放出された燃焼排ガスは、風呂熱交換器２１Ｂの主熱交換部２１３の配設部を通って副熱交換部２１４へ導かれ、筐体１０の外部へ排出される。
【００１８】
ガス管路１５には、バーナ２２への燃料ガスの供給を遮断可能なガス元弁２５と、バーナ２２への燃料ガスの供給量を調整可能なガス比例弁２６とが上流側よりこの順序で設けられている。また、ガス比例弁２６の下流側には、給湯側燃焼部２２Ａへの燃料ガスの供給を遮断可能なガス遮断弁２７Ａと、風呂側燃焼部２２Ｂへの燃料ガスの供給を遮断可能なガス遮断弁２７Ｂとが設けられている。
【００１９】
給水管路１２には、給湯熱交換器２１Ａへ供給される水の流量を検出する水量センサ３１と、給湯熱交換器２１Ａへの水の供給量を調整可能な水量調整弁３２とが上流側よりこの順序で設けられている。
【００２０】
給湯管路１３は、給湯熱交換器２１Ａで加熱された温水を追焚循環管路１４の風呂戻り管路１４１へ導く湯張り管路１３０を備えている。湯張り管路１３０には、給湯熱交換器２１Ａから追焚循環管路１４への温水の供給を遮断可能な湯張り電磁弁３３と、追焚循環管路１４から湯張り管路１３０への風呂水の逆流を防止する風呂水逆止弁３４と、湯張り管路１３０の温水の流量を検知する湯量センサ３５とが上流側よりこの順序で設けられている。ドレン管路１６は、湯張り管路１３０における湯量センサ３５の下流側に接続されている。
【００２１】
湯張り管路１３０におけるドレン管路１６の接続部には、給湯熱交換器２１Ａで加熱された温水を風呂戻り管路１４１へ導く給湯位置と、ドレン中和器１６０内のドレン中和水を風呂戻り管路１４１へ導く排水位置とに切り替え可能な第１排水切替弁３６が設けられている。
【００２２】
風呂戻り管路１４１には、浴槽Ｐ２の風呂水を風呂熱交換器２１Ｂへ送る風呂ポンプ３７と、風呂戻り管路１４１の水流に応じてオンオフする水流スイッチ３８とが上流側よりこの順序で設けられており、湯張り管路１３０は、風呂戻り管路１４１における風呂ポンプ３７の上流側に接続されている。
【００２３】
風呂戻り管路１４１における湯張り管路１３０の接続部には、湯張り管路１３０に送り込まれた温水を風呂熱交換器２１Ｂや浴槽Ｐ２へ導く、或いは、浴槽Ｐ２の風呂水を風呂熱交換器２１Ｂへ導く循環位置と、湯張り管路１３０に送り込まれた温水やドレンを風呂熱交換器２１Ｂへ導く排水位置とに切り替え可能な循環切替弁３９が設けられている。
【００２４】
風呂往き管路１４２の中間部には、追焚循環管路１４に送り込まれた温水やドレンを装置外部の排水口Ｅへ導く排水管路１７が接続されている。また、風呂往き管路１４２における排水管路１７の接続部には、風呂熱交換器２１Ｂに送り込まれた風呂水や温水を浴槽Ｐ２へ導く循環位置と、風呂熱交換器２１Ｂに送り込まれた温水やドレン中和水を排水管路１７へ導く排水位置とに切り替え可能な第２排水切替弁４６が設けられている。
【００２５】
排水管路１７の中間部には、浴室の床下Ｐ３に敷設される床暖房配管１７０が直列的に接続されている。また、排水管路１７の中間部で且つ床暖房配管１７０の上流側接続部より上流側には、湯張り管路１３０から追焚循環管路１４に送り込まれた温水やドレン中和水を直接排水口Ｅへ導く主排水路１７１が分岐して設けられている。
【００２６】
排水管路１７における主排水路１７１への分岐部には、追焚循環管路１４から排水管路１７に導入された温水やドレン中和水などの流体を、床暖房配管１７０を介して排水口Ｅへ排出させるオン位置と、床暖房配管１７０を介さず直接的に主排水路１７１から排水口Ｅへ排出させるオフ位置とに切り替え可能な暖房切替弁４７が設けられている。
【００２７】
ドレン中和器１６０には、ドレン中和器１６０内のドレン水位が基準位置より低い下限位置未満になったか否かを検知する下限水位センサ５１と、上記ドレン水位が基準位置に達したか否かを検知する基準水位センサ５２と、上記ドレン水位が基準位置より高い上限位置に達したか否かを検知する上限水位センサ５３とが組み込まれている。
【００２８】
燃焼ファン２３、ガス元弁２５、ガス比例弁２６、ガス遮断弁２７Ａ，２７Ｂ、水量センサ３１、水量調整弁３２、湯張り電磁弁３３、湯量センサ３５、第１排水切替弁３６、風呂ポンプ３７、水流スイッチ３８、循環切替弁３９、第２排水切替弁４６、暖房切替弁４７、下限水位センサ５１、基準水位センサ５２および上限水位センサ５３は、それぞれ電気配線を通じて制御回路１Ｃに接続されている。
【００２９】
図示しないが、制御回路１Ｃは、水量センサ３１の検知水量が所定の最低作動水量に達したか否かを判定する給湯判定部、燃焼ファン２３の作動および停止を行う給気実行部、バーナ２２の点火および消火を行う点消火実行部、湯出口Ｐ１側で要求された給湯温度や浴槽Ｐ２側で要求された追焚温度に応じてバーナ２２の燃焼量を調整する燃焼量調整部、湯張り電磁弁３３の開閉を指示する給湯実行部、湯量センサ３５の検知水量の積算値が設定湯量に達したか否かを判定する湯張り判定部、風呂ポンプ３７の作動および停止を行う循環実行部、水流スイッチ３８がオンになったか否かを判定する循環判定部、ドレン中和器１６０内のドレン水位Ｌが基準位置Ｌ２に達したか否か、上限位置Ｌ３に達したか否か、または、下限位置Ｌ１未満になったか否かを判定するドレン量判定部、上記ドレン水位Ｌが基準位置Ｌ２または上限位置Ｌ３に達した場合に風呂ポンプ３７を作動させるドレン排水動作の実行部、上記ドレン排水動作の実行後、湯張り電磁弁３３を所定時間開放させる配管洗浄動作の実行部、上記配管洗浄動作の実行時間を計測する計時部等の回路構成を有している。
【００３０】
制御回路１Ｃによる給湯システム１のドレン排水動作および配管洗浄動作を、図２に従って説明する。操作端末１００の運転スイッチ１０１のオン操作がなされると、給湯実行の合図として水量センサ３１の検知水量が最低作動水量以上になったか否か、湯張り実行の合図として操作端末１００の湯張りスイッチ１０２のオン操作がなされたか否か、追焚実行の合図として操作端末１００の追焚スイッチ１０３のオン操作がなされたか否かをそれぞれ監視する（ＳＴ１〜ＳＴ３）。
【００３１】
その間に、湯出口Ｐ１が開栓されると、給水管路１２から給湯熱交換器２１Ａへの水の供給が開始される。そして、水量センサ３１の検知水量が最低作動水量に達すれば（ＳＴ１のステップでＹｅｓ）、燃焼ファン２３を作動させると共にバーナ２２の給湯側燃焼部２２Ａを点火させ、さらに湯出口Ｐ１側で要求された給湯温度に基づいてガス比例弁２６の開度を調整し、給湯側燃焼部２２Ａの燃焼量を調整する給湯制御がなされる。これにより、適切に温度調整された温水が給湯管路１３を通じて湯出口Ｐ１に供給される（ＳＴ４）。
【００３２】
また、湯張りスイッチ１０２のオン操作がなされた場合は、水量センサ３１の検知水量が最低作動水量未満である条件の下、第１排水切替弁３６を「給湯位置」に設定し、且つ、循環切替弁３９および第２排水切替弁４６を「循環位置」に設定し、さらに湯張り電磁弁３３を開栓させる。すると、給水管路１２から給湯熱交換器２１Ａへ繋がり、さらに給湯管路１３の湯張り管路１３０、風呂戻り管路１４１、風呂熱交換器２１Ｂ、風呂往き管路１４２を介して浴槽Ｐ２へ繋がる風呂給湯経路が形成され、給水管路１２から給湯熱交換器２１Ａへ水の供給が開始される。そして、水量センサ３１の検知水量が最低作動水量に達すれば（ＳＴ２のステップでＹｅｓ）、燃焼ファン２３を作動させると共にバーナ２２の給湯側燃焼部２２Ａを点火させ、さらに浴槽Ｐ２側で要求された給湯温度に基づいてガス比例弁２６の開度を調整し、給湯側燃焼部２２Ａの燃焼量を調整する湯張り制御がなされる。これにより、適切に温度調整された温水が給湯管路１３から追焚循環管路１４を通じて浴槽Ｐ２に供給される。その後、湯量センサ３５の検知水量の積算値が設定湯量に達すれば、湯張り電磁弁３３を閉栓させ、浴槽Ｐ２への温水の供給を停止させる（ＳＴ５）。
【００３３】
一方、操作端末１００の追焚スイッチ１０３のオン操作がなされた場合は、循環切替弁３９および第２排水切替弁４６を共に「循環位置」に設定し、風呂ポンプ３７を作動させる。すると、浴槽Ｐ２から風呂戻り管路１４１へ繋がり、さらに風呂熱交換器２１Ｂ、風呂往き管路１４２を介して再び浴槽Ｐ２へ繋がる風呂水循環経路が形成され、浴槽Ｐ２と風呂熱交換器２１Ｂとの間で風呂水の循環が開始される。そして、水流スイッチ３８がオンになれば（ＳＴ３のステップでＹｅｓ）、燃焼ファン２３を作動させると共にバーナ２２の風呂側燃焼部２２Ｂを点火させ、さらに浴槽Ｐ２側で要求された追焚温度に基づいてガス比例弁２６の開度を調整し、風呂側燃焼部２２Ｂの燃焼量を調整する追焚制御がなされる。これにより、浴槽Ｐ２の風呂水が適切に温度調整される（ＳＴ６）。
【００３４】
給湯制御、湯張り制御、或いは、追焚制御が実行されると、給湯熱交換器２１Ａや風呂熱交換器２１Ｂの各副熱交換部２１２，２１４の表面でドレンが発生するが、そのドレンは、ドレン管路１６のドレン中和器１６０に回収される。従って、上記ＳＴ１からＳＴ６のステップを実行する間、ドレン中和器１６０内のドレン水位Ｌが基準位置Ｌ２に達したか否かの監視を行う（ＳＴ７）。
【００３５】
そして、ドレン水位Ｌが基準位置Ｌ２に達した場合は（ＳＴ７のステップでＹｅｓ）、給湯制御、湯張り制御、或いは、追焚制御の何れも実行されていない条件の下、第１排水切替弁３６、循環切替弁３９および第２排水切替弁４６をそれぞれ「排水位置」に設定する。また、操作端末１００の床暖房スイッチ１０４がオンとなっている場合には、さらに暖房切替弁４７を「オン位置」に設定し、風呂ポンプ３７を作動させる。これにより、ドレン管路１６から湯張り管路１３０へ繋がり、さらに風呂戻り管路１４１、風呂熱交換器２１Ｂ、風呂往き管路１４２を介して排水管路１７の床暖房配管１７０へ繋がる第１ドレン排水経路が形成され、この第１ドレン排水経路を通ってドレン中和器１６０内のドレン中和水が排水口Ｅへ排出される（ＳＴ８，ＳＴ１１〜ＳＴ１４）。
【００３６】
一方、ドレン水位Ｌが基準位置Ｌ２に達した場合において（ＳＴ７のステップでＹｅｓ）、給湯制御、湯張り制御、或いは、追焚制御の何れか一つが実行中であれば、さらにドレン水位Ｌが上限位置Ｌ３に達したか否かを監視する。そして、ドレン水位Ｌが上限位置Ｌ３に達すれば、実行中の制御を一時中断させた上で、上述したＳＴ１１からＳＴ１４のステップを実行する。即ち、ドレン中和器１６０内のドレン中和水の排出を強制的に実行する（ＳＴ９〜ＳＴ１４）。
【００３７】
その結果、ドレン水位Ｌが下限位置Ｌ１未満になれば、風呂ポンプ３７を停止させ、さらに第１排水切替弁３６を「給湯位置」に設定し、且つ、循環切替弁３９および第２排水切替弁４６を「排水位置」に設定し、湯張り電磁弁３３を開栓させる。すると、給水管路１２から給湯熱交換器２１Ａへ繋がり、さらに給湯管路１３の湯張り管路１３０、風呂戻り管路１４１、風呂熱交換器２１Ｂ、風呂往き管路１４２を介して排水管路１７の床暖房配管１７０へ繋がる第１湯水供給経路が形成され、給水管路１２から給湯熱交換器２１Ａへ水の供給が開始される（ＳＴ１５〜ＳＴ１８）。
【００３８】
そして、水量センサ３１の検知水量が最低作動水量に達すれば、燃焼ファン２３を作動させると共にバーナ２２の給湯側燃焼部２２Ａを点火させ、床暖房温度に対応する給湯温度に基づいてガス比例弁２６の開度を調整し、給湯側燃焼部２２Ａの燃焼量を調整する出湯動作がなされる。これにより、適切に温度調整された温水が熱源機１１から上記第１湯水供給経路を通って排水口Ｅへ排出される。また、給湯制御または湯張り制御を一時中断させている場合には、その間に給湯熱交換器２１Ａが冷えてしまうのを防止できる（ＳＴ１９）。
【００３９】
その後、上記出湯動作が実行されてから所定時間が経過すれば、湯張り電磁弁３３を閉栓させて出湯動作を停止し、第１湯水供給経路への温水の供給を終了させる（ＳＴ２０〜ＳＴ２１）。
【００４０】
尚、ドレン水位Ｌが基準位置Ｌ２に達したとき、或いは、ドレン水位Ｌが上限位置Ｌ３に達したときに、床暖房スイッチ１０４がオンとなっていない場合は（ＳＴ１２のステップでＮｏ）、第１排水切替弁３６、循環切替弁３９および第２排水切替弁４６をそれぞれ「排水位置」に設定し、さらに暖房切替弁４７を「オフ位置」に設定した上で、風呂ポンプ３７を作動させる。これにより、ドレン管路１６から湯張り管路１３０へ繋がり、さらに風呂戻り管路１４１、風呂熱交換器２１Ｂ、風呂往き管路１４２を介して排水管路１７の主排水路１７１へ繋がる第２ドレン排水経路が形成され、この第２ドレン排水経路を通ってドレン中和器１６０内のドレン中和水が排水口Ｅへ排出される。そして、暖房切替弁４７が「オフ位置」に設定された状態で上記ＳＴ１５からＳＴ１９のステップが実行される。これにより、給水管路１２から給湯熱交換器２１Ａへ繋がり、さらに給湯管路１３の湯張り管路１３０、風呂戻り管路１４１、風呂熱交換器２１Ｂ、風呂往き管路１４２を介して排水管路１７の主排水路１７１へ繋がる第２湯水供給経路が形成され、この第２湯水供給経路を通って温水が排水口Ｅへ排出される。このとき、燃焼ファン２３の作動およびバーナ２２の給湯側燃焼部２２Ａの点火動作を実行させず、冷水を第２湯水供給経路から排水口Ｅへ排出させてもよい。
【００４１】
このように、上記実施の形態によれば、ドレン中和器１６０内に溜まったドレン中和水を、湯張り管路１３０から排水管路１７を通じて装置外部へ排出させた後、給湯熱交換器２１Ａで加熱生成された温水を、追焚循環管路１４から排水管路１７を通じて床暖房配管１７０に送り込み、装置外部へ排出させる配管の温水洗浄が行われるが、この温水洗浄時に床暖房配管１７０へ導入される温水によって浴室の床を暖めることができる。従って、追焚循環管路１４とは別に浴室の床暖房専用の循環管路や熱交換部など特別な装置を組み込む必要がない。これにより、給湯システム１全体の構成を簡素化することが可能であり、設置場所の制限の少ない給湯システムを提供できる。
【００４２】
また、このものでは、たとえ追焚循環管路１４に残留した浴槽Ｐ２内のごみや汚れが排水管路１７の床暖房配管１７０に混入したとしても、ドレン中和水を排出させる度に、冷水または温水によって速やかに床暖房配管１７０が洗浄されるから、床暖房配管１７０に異物が残留し難い。よって、床暖房配管１７０の目詰まりを効果的に防止できる。
【００４３】
ドレン中和器１６０から湯張り管路１３０へ排出されるドレン中和水には、筐体１０内に入り込んだごみや埃、ドレン中和剤の細粒等の異物が混入している場合がある。しかしながら、上記実施の形態によれば、床暖房オフ時に暖房切替弁４７がオフ位置に設定され、床暖房配管１７０を介さず主排水路１７１から直接装置外部へドレン中和水を排出させるから、床暖房配管１７０に異物が流入し難い。また、床暖房オン時には、暖房切替弁４７がオン位置に設定され、冷水または温水によって適宜、床暖房配管１７０が洗浄されるから、床暖房配管１７０に異物がより残留し難い。よって、床暖房配管１７０の目詰まりをより効果的に防止できる。
【００４４】
尚、上記実施の形態では、床暖房スイッチ１０４がオンとなっている場合、床暖房配管１７０（第１ドレン排水経路）を介してドレン中和水を排出させた後、温水も同様に床暖房配管１７０（第１湯水供給経路）を介して排出させるものを説明したが、床暖房配管１７０を介さず主排水路１７１（第２ドレン排水経路）からドレン中和水を排出させた後、温水は床暖房配管１７０（第１温水循環経路）を介して排出させる構成としてもよい。
【００４５】
本発明は、ファンヒータや室内床暖房マットなどの温水暖房端末へ温水を循環供給可能な暖房機能部を備えた給湯システムにも適用できる。図３に示すように、上記実施の形態の構成と異なる点を主に説明すれば、この給湯システム１は、給湯機能部および追焚機能部に加え、暖房循環管路１８内の熱媒を所定温度に加熱しつつ温水暖房端末Ｐ４に循環させる暖房機能部をさらに有している。
【００４６】
熱源機１１の筐体１０内には、上述した風呂熱交換器２１Ｂに代えて、暖房循環管路１８から送り込まれる熱媒を燃焼排ガスとの熱交換により加熱する暖房熱交換器２１Ｄが組み込まれている。
【００４７】
暖房熱交換器２１Ｄは、主熱交換部２１３と副熱交換部２１４とを備えており、副熱交換部２１４の上流端に暖房循環管路１８の暖房戻り管路１８１が接続され、主熱交換部２１３の下流端に暖房循環管路１８の暖房往き管路１８２が接続されている。また、主熱交換部２１３の上流端と副熱交換部２１４の下流端との間には、暖房循環管路１８内の熱媒の温度上昇に伴う体積膨張を吸収するシスターン１８０が熱媒往き管路１８３および熱媒戻り管路１８４により接続されている。さらに、熱媒往き管路１８３の中間部には、暖房ポンプ４８が接続されており、暖房ポンプ４８を作動させれば、暖房熱交換器２１Ｄの副熱交換部２１４内の熱媒がシスターン１８０を通って暖房熱交換器２１Ｄの主熱交換部２１３へ送り込まれ、さらに暖房往き管路１８２を通じて温水暖房端末Ｐ４へ供給される。また、温水暖房端末Ｐ４へ供給された熱媒は、暖房戻り管路１８１を通じて暖房熱交換器２１Ｄの副熱交換部２１４へ帰還する。
【００４８】
バーナ２２は、上述した風呂側燃焼部２２Ｂに代えて、暖房熱交換器２１Ｄを加熱するための暖房側燃焼部２２Ｄを備えており、暖房側燃焼部２２Ｄから放出された燃焼排ガス中の顕熱が、暖房熱交換器２１Ｄの主熱交換部２１３にて回収され、暖房側燃焼部２２Ｄから放出された燃焼排ガス中の潜熱が、暖房熱交換器２１Ｄの副熱交換部２１４にて回収される。
【００４９】
追焚機能部を構成する風呂熱交換器２１Ｃは、内外二重管構造の液々熱交換器であり、追焚制御の際に、暖房熱交換器２１Ｄで加熱された熱媒が風呂熱交換器２１Ｃの内側管路２１５へ循環供給される一方、浴槽Ｐ２の風呂水が、風呂ポンプ３７により風呂戻り管路１４１を通じて風呂熱交換器２１Ｃの外側管路２１６へ送り込まれ、風呂往き管路１４２から浴槽Ｐ２へ帰還するように構成されている。
【００５０】
その他の構成は、上記実施の形態に係る給湯システム（図１、図２参照）と同様であり、ドレン中和水を排出させた後の配管洗浄動作により、浴室の床が暖められるし、また、床暖房配管１７０も洗浄される。従って、上記実施の形態と同様の作用効果を発揮できる。
【符号の説明】
【００５１】
１      給湯システム
１１    熱源機
１３    給湯管路
１４    追焚循環管路
１６    ドレン管路
１７    排水管路
１７０  床暖房配管
２１Ａ  給湯熱交換器
２１Ｂ  風呂熱交換器
Ｐ２    浴槽
【図１】
2014206342.tif 000003
【図２】
2014206342.tif 000004
【図３】
2014206342.tif 000005